(57)【要約】【課題】  躯体に対し接着剤による固定手段に加え、その脱落を防止できる固定手段を施すことが可能な大型無機質板の提供。【解決手段】  化粧面と施工面とを有する大型無機質板であって、化粧面に当該面を横断する溝が形成されてなり、この溝においてアンカーボルトで躯体に大型無機質板を固定し、あるいはこの溝に線材を渡し、この線材を躯体に設けた固定部位に固定して大型無機質板を固定する。その後、溝にはアンカーボルトまたは線材を隠す、目地材が充填され、外見上、目地であるように見せる。このように固定された大型無機質板は、複数の固定手段で躯体に固定されるため、脱落や、脱落に伴う被害を有効に防ぐことができ、また外観の意匠を大きく損ねることがない。【選択図】  図１
2017089253.tif 000002
【特許請求の範囲】
【請求項１】
化粧面と施工面とを有する大型無機質板であって、
前記化粧面に当該面を横断する溝が形成されてなり、
当該溝に、前記大型無機質板を躯体に固定する固定手段が設けられるものであることを特徴とする、大型無機質板。
【請求項２】
前記固定手段が、前記溝に設けられた貫通孔であり、当該貫通孔にアンカーを通し、これを躯体に打ち込み、前記大型無機質板が躯体に固定される、請求項１に記載の大型無機質板。
【請求項３】
前記固定手段が、線材であって、前記溝に当該線材を渡し、当該線材を前記躯体に設けられた固定部位にアンカーで固定して、前記大型無機質板が躯体に固定される、請求項１に記載の大型無機質板。
【請求項４】
前記線材の最大太さが、最大溝幅よりも小さいものである、請求項３に記載の大型無機質板。
【請求項５】
前記溝は、前記大型無機質板を躯体に固定した後に目地処理が施されるものである、請求項１〜４のいずれか一項に記載の大型無機質板。
【請求項６】
前記目地処理が、ペースト状または塑性変形可能な目地材の充填、シート状またはテープ状の目地材の張り付け、または棒状の目地材の張り付けまたは嵌合により行われる、請求項５に記載の大型無機質板。
【請求項７】
前記大型無機質板が短辺９００ｍｍ以上、厚さ１５ｍｍまでのものである、請求項１〜６のいずれか一項に記載の大型無機質板。
【請求項８】
請求項２、５、６、７のいずれか一項に記載の大型無機質板を用意し、
前記貫通孔にアンカーを通し、これを躯体に打ち込み、前記大型無機質板を躯体に固定することを含んでなる、大型無機質板を躯体に固定する方法。
【請求項９】
請求項３〜７のいずれか一項に記載の大型無機質板を用意し、
前記溝に線材を渡し、当該線材を前記躯体に設けられた固定部位にアンカーで固定して、前記大型無機質板を躯体に固定することを含んでなる、大型無機質板を躯体に固定する方法。
【請求項１０】
前記施工面に接着剤を塗布し、大型無機質板を躯体に固定する工程をさらに含んでなる、請求項８または９に記載の方法。
【請求項１１】
前記大型無機質板が躯体に固定された後に目地処理を施す工程を含む、請求項８〜１０のいずれか一項に記載の方法。
【請求項１２】
前記目地処理が、ペースト状または塑性変形可能な目地材の充填、シート状またはテープ状の目地材の張り付け、もしくは棒状の目地材の張り付けまたは嵌合により行われる、請求項１１に記載の方法。
【発明の詳細な説明】
【技術分野】
【０００１】
本発明は、壁などの躯体に固定される大型の無機質板に関し、さらに詳しくは接着剤などで貼着する固定手段に加えた固定手段を施すことが可能であり、その脱落などを防止できる大型無機質板およびその施工方法に関する。
【背景技術】
【０００２】
内装または外装材としてタイルなどの無機質板が広く用いられている。これら無機質板の躯体への施工は、接着剤やモルタルなどで張り付けることに行われる。さらに、最近では目地を少なくでき、施工の簡略化や意匠の多様化を実現可能な大型無機質板、さらに薄型の大型陶磁器板が実用化され広く利用されてきており、このような大型無機質板についてもその施工は接着剤などによる張付けが一般的である。
【０００３】
このような大型無機質板を壁面などに施工する場合、経年により剥離や割れが発生しても、脱落並びに脱落に伴う被害を抑止することが必要になる。特に大型無機質板を外装材としてする場合には、脱落並びに脱落に伴う被害を抑止可能な施工システムが重要になる。
【０００４】
このような施工システムとして、接着剤などによる貼着に加えて、無機質板に穴をあけてタッピングビスなどで固定することが行われている。しかしながら、内装・外装材として化粧面を有するものである場合、穴およびビスの頭は化粧面の意匠を損なう恐れがある。また、大型無機質板の場合、専用フレームを用意し、これに嵌め込み大型無機質板を固定する方法も行われているが、フレームが露出することにより意匠を損なう恐れがある。
【０００５】
化粧面の意匠性を損ねない施工方法として、無機質板の片面に非貫通孔を設け、この孔を利用して固定する方法が提案されている（例えば、特開平８−６８１８３号公報（特許文献１）、特開平１１−１５９１０２号公報（特許文献２）、特開２０１５−１０３８０号公報（特許文献３））。しかしながら、これらの方法は大型の無機質板の固定方法としてはその係止力には限度があると考えられる。
【０００６】
また、複数のタイルをその裏面において連結部材で固定してユニット化したり、タイルの裏面に脱落防止の線材を固着し、この線材を壁などの躯体に固定することで脱落等を防ぐ提案もされている（特開平６−１０１３２１号公報（特許文献４）、特開２０１３−３２６６７号公報（特許文献５）。しかし、これら提案はもっぱら小型のタイルに向けられたものであり、大型の無機質板の固定を前提としたものではない。
【０００７】
従って、大型の無機質板の化粧面の意匠性を損ねず、脱落並びに脱落に伴う被害を抑止可能な大型無機質板が依然として求められているといえる。
【０００８】
特開２０１０−１６３８号公報（特許文献６）に疑似的な目地を有したタイルユニットの開示があるが、タイルユニットの固定を目的としたものではない。
【先行技術文献】
【特許文献】
【０００９】
【特許文献１】特開平８−６８１８３号公報
【特許文献２】特開平１１−１５９１０２号公報
【特許文献３】特開２０１５−１０３８０号公報
【特許文献４】特開平６−１０１３２１号公報
【特許文献５】特開２０１３−３２６６７号公報
【特許文献６】特開２０１０−１６３８号公報
【発明の概要】
【発明が解決しようとする課題】
【００１０】
本発明は、躯体に対し接着剤による固定手段に加え、その脱落を防止できる固定手段を施すことが可能な大型無機質板の提供を目的とする。
【課題を解決するための手段】
【００１１】
そして、本発明による大型無機質板は、前記化粧面に当該面を横断する溝が形成されてなり、当該溝に、前記大型無機質板を躯体に固定する固定手段が設けられるものであることを特徴とするものである。
【図面の簡単な説明】
【００１２】
【図１】本発明の一つの態様による大型無機質板の図であり、（ａ）は上面図、（ｂ）は（ａ）中のＡ−Ｂ線における断面図である。大型無機質板を躯体に固定するための固定手段として、貫通孔５が開けられている。
【図２】躯体に固定された大型無機質板の貫通孔５近傍の拡大図である。
【図３】図１に示される大型無機質板１を３枚、並べて躯体に施工した図である。４１は目地処理が施された疑似目地溝であり、４２がその間の目地、すなわち真の目地である。
【図４】本発明による別の態様の大型無機質板を表す。（ａ）は上面図、（ｂ）は断面図である
【図５】躯体に固定された大型無機質板を表す図である。図において、大型無機質板1は疑似目地溝４に線材３３を渡し、その両端を躯体に設けた固定部位３４に接続して固定される。
【図６】図４の大型無機質を３枚並べて躯体に固定した状態を示す図である。躯体に設けられた固定部位３４に加え、大型無機質板１同士の間に間の溝４に対応する位置に固定部位３５が設けられる。
【図７】固定部位３５付近の拡大斜視図である。
【発明を実施するための形態】
【００１３】
以下、本発明による大型無機質板を、図面を参照しながら説明する。
図１は、本発明の一つの態様による大型無機質板を説明する図であり、（ａ）は上面図、（ｂ）は図（ａ）中のＡ−Ｂ線における断面図である。図中、大型無機質板１は、その面を外に向けて施工固定される化粧面２と、その面を躯体に向けて固定される施工面３とを有する。化粧面２には、この化粧面を横断する溝４が設けられている。この溝は、大型無機質板が躯体に固定された後に、外見上、この部分が目地であるように見せる部分であることから、本明細書においてはこの溝を単に「溝」と呼ぶことに加え、「疑似目地溝」と呼ぶことがある。この疑似目地溝４には、図１（ａ）の態様にあっては、３か所にこの大型無機質板を躯体に固定するための固定手段として、貫通孔５が開けられている。
【００１４】
図１に示される大型無機質板の躯体への固定を、図２を用いて説明する。図２は、躯体に固定された大型無機質板の貫通孔５近傍の拡大図である。本発明にあっては、貫通孔５に対応する躯体２０の表面２１の箇所にアンカー固定用の穴２２が設けられており、この貫通孔５からアンカー３２を固定用穴２２に打ち込みまたは嵌合させることにより、大型無機質板１は躯体２０に固定されることとなる。ここで、アンカー３２は、ビスまたはアンカーボルトが好適に用いられる。
【００１５】
本発明による大型無機質板は、上記疑似目地溝を用いた固定に加えて、躯体に対し接着剤により固定される。具体的には躯体の表面２１に接着剤を塗布し、施工面３と接着剤層３１により固定され、これにより大型無機質板１を張り付けて固定される。このように大型無機質板は、施工面の接着剤による固定と、疑似目地溝に設けられた固定手段を利用した固定の二つの手段により固定される。本発明によれば、従って、経時的な劣化などで接着剤などによる固定が十分でなくなった場合でも、疑似目地溝に設けられたもう一つの固定手段が存在するため、脱落や、脱落に伴う被害を防ぐことができるとの利点が得られる。さらに、本発明による固定方法は、大型無機質板を使用することで、擬似目地溝と実際の目地とで囲まれた領域を見かけ上の化粧材に見せることができる。見かけ上の化粧材のサイズが、例えば１辺数十ｃｍの大型タイルの大きさであるような場合、本発明の方法によれば、大型無機質板を１枚固定することで大型タイルを複数枚張り付けるのと同等の仕上がりとなり、工数を削減することが可能となる。
【００１６】
本発明による大型無機質板は、例えば陶磁器、石、またはガラスからなるものである。本発明において無機質板は、平板として、外装または内装の壁、床、天井の仕上げ材や、キャビネット面材やカウンターの仕上げ材に好ましく用いられる。その大きさは、本発明の一つの態様によれば、無機質板は短辺３００ｍｍを超えるものであり、９００ｃｍ２を超える面積を有するものである。無機質板の短辺の長さは、好ましくは６００ｍｍ以上、より好ましくは９００ｍｍ以上を有するものである。また、本発明の一つの態様によれば、本発明による方法は、例えば厚さは３ｍｍ以上１５ｍｍ程度まで、好ましくは８ｍｍ乃至１０ｍｍ程度までの大型無機質板に好ましく適用できる。本発明による大型無機質板にあっては、吸水性が低い第Ｉ類のセラミックであることが好ましい。吸水率が低いセラミックを採用することによって、擬似目地溝の経時汚染を抑えることが可能となる。
【００１７】
固定のために用いられる接着剤としては、大型無機質板を躯体に接着可能なものであれば限定されないが、合成高分子系の接着剤が好ましい。合成高分子系の接着剤としては、エポキシ系、シリコン系、ウレタン系、アクリル系などが好適に用いられる。これらの接着剤は、常温で液状の接着剤、ホットメルト接着剤、テープ状に成形されたもの、のいずれも好適に使用可能である。  
【００１８】
本発明の一態様によれば、躯体への固定後、疑似目地溝に目地処理が施されることが好ましい。目地処理は、固定手段５を隠すために行われ、より好ましくは、疑似目地溝を通常の目地と外見を同じに見せるために行われる処理である。図２にあっては、アンカー３２の上に目地材４１を置く。例えば、図３は、図１に示される大型無機質板１を３枚、並べて躯体に施工した図である。この図において、４１は目地処理が施された疑似目地溝であり、４２がその間の目地、すなわち真の目地である。疑似目地溝４を、例えば真の目地４１と同一の目地材４１で埋めることで、３枚の大型無機質板であるが、貫通孔５や貫通孔５に打ち込まれたアンカー３２が隠され、あたかも６枚の大型無機質板が施工されたように見える。固定手段が露出することによる、施工後の外観の意匠低下を防ぐことができる。また、大型無機質板１は、上記の通り接着剤による固定と固定手段による固定との、二重の固定がなされていることから、脱落や、脱落に伴う被害を有効に防ぐことができる。
【００１９】
本発明の一つの態様によれば、目地処理は、例えばペースト状または塑性変形可能な目地材の充填、シート状またはテープ状の目地材の張り付け、もしくは、棒状の目地材の張り付けまたは嵌合により行うことができる。
【００２０】
図４は、本発明による別の態様の大型無機質板を表す。図４（ａ）は大型無機質板の上面図、（ｂ）は断面図である。図中、大型無機質板１の化粧面２には、この化粧面を横断する疑似目地溝４が設けられている。この態様にあっても、好ましくは、大型無機質板１はまず接着剤により躯体に固定される。次に、この溝４に固定手段として線材３３を渡し、これを躯体に設けた固定部位にアンカーにて接続固定して、大型無機質板を躯体に固定する。図５は、このようにして躯体に固定された大型無機質板を表す図である。図において、大型無機質板１は疑似目地溝４に線材３３を渡し、その両端を躯体に設けた固定部位３４に接続して固定する。同様の操作を上下の溝４について行い、大型無機質板１を躯体に固定することができる。なお、大型無機質板１を躯体に固定した後、疑似目地溝４には上記したものと同様の目地処理が行われ、外見上、目地のように見せることが好ましい。
【００２１】
この態様において用いられる線材は、ステンレス鋼などの金属、ガラスやカーボンなどの無機繊維、または合成樹脂のいずれかが好適に用いられる。線材が繊維の場合は、単線、複数の線の集合体、撚糸、テープ状のいずれかが好適に用いられる。また、線材の形状としては、断面形状は異方性が有るものも無いものも用いることができる。線材の大きさは、線材が固定された状態を上面視（つまり化粧面を上方から見たときの）した時に、線材の最大太さが最大溝幅よりも小さいことが好ましく、線材の深さ方向の最大幅は、溝の最小深さよりも小さいことが好ましい。
【００２２】
さらに、図６は、図４の大型無機質板を３枚並べて躯体に固定した状態を示す図である。この態様にあっては、躯体に設けられた固定部位３４に加え、大型無機質板１同士の間に間の溝４に対応する位置に固定部位３５が設けられる。図７は固定部位３５付近の拡大斜視図である。この態様にあっては溝４に渡した線材３３を、固定部位３５にも、例えばアンカー３２に巻き付ける等により固定して、固定部位３４とともに大型無機質板１を躯体に固定する。その後、疑似目地溝４には上記したものと同様の目地処理が行われ、外見上、目地のように見せる。この態様によれば、安定して複数の大型無機質板を躯体に固定することができる。
【００２３】
なお、本発明において、大型無機質板の施工面と躯体との接着剤による張り付けは、大型無機質板と躯体表面との間に下地材が介在する態様も含まれるものとする。この場合、例えば、躯体が鉄骨等の柱である場合には、板状の下地材が躯体に公知の方法で固定されており、この下地材の表面に無機質板を接着剤で張り付ける。また例えば、既設の壁をリフォームする際に本発明の方法を適用する場合、既設の壁面を下地材として、その上に接着剤を用いて無機質板を張り付けても良い。いずれの場合も、固定に用いられるアンカーは躯体に固定されていることが好ましい。
【符号の説明】
【００２４】
１・・大型無機質板、２・・化粧面、３・・施工面、４・・疑似目地、５・・貫通孔、２０・・躯体、２１・・躯体表面、２２・・アンカー固定用の穴、３１・・接着剤層、３２・・アンカー、３３・・線材、３４・・固定部位、４１・・目地材、４２・・目地
【図１】
2017089253.tif 000003
【図２】
2017089253.tif 000004
【図３】
2017089253.tif 000005
【図４】
2017089253.tif 000006
【図５】
2017089253.tif 000007
【図６】
2017089253.tif 000008
【図７】
2017089253.tif 000009